(57)【特許請求の範囲】
【請求項１】
二次電池を脱着自在に装着する装着部(1)を上面に有し、平面状の底面を有するケース(2)と、このケース(2)に内蔵されている電源トランス(3)と、電源トランス(3)の二次側出力を、二次電池の充電電圧に変換する充電回路を実現する電子部品を固定していると共にケース(2)に内蔵されているプリント基板(4)とを備える充電器において、
電源トランス(3)が一端側に、プリント基板(4)が、その反対側である他端側に内蔵されていると共に、ケース(2)は、プリント基板(4)を内蔵している部分の上面に装着部(1)を設けると共に、電源トランス(3)を内蔵している一端側の端部の底面には、凸部(5)を有し、この凸部(5)に電源コードを接続する入力コネクタ(6)を設けてなることを特徴とする充電器。
【請求項２】
ケース(2)が、上下に分割して成形されたプラスチック製の上ケース(2A)と下ケース(2B)からなり、上ケース(2A)は上面に装着部(1)を有し、下ケース(2B)は一端側の端部の底面に凸部(5)を有する請求項１に記載される充電器。
【発明の詳細な説明】
【０００１】
【発明の属する技術分野】
本発明は、二次電池を充電する充電器に関し、とくに、電源コードを介して商用電源を入力するタイプの充電器に関する。
【０００２】
【従来の技術】
従来のプラグインタイプの充電器は、ケースの上面に、二次電池を脱着自在に装着する装着部を設けて、内部には、電源トランスとプリント基板とを内蔵させている。プリント基板は、電源トランスの二次側出力を、二次電池の充電電圧に変換する充電回路を実現する電子部品を固定している。さらに、ケースの右部の底部に突出して、電源プラグを固定している。電源プラグは、電源トランスの一次側に接続されている。
【０００３】
【発明が解決しようとする課題】
この構造の充電器は、電源プラグをコンセントに接続して、装着部にセットした二次電池を充電する。電源プラグを垂直の壁面に固定しているコンセントに挿入して充電するとき、ケースの底面が壁面に接近する。このため、ケースの底面からの放熱が悪くなって、効率よく放熱できなくなる欠点がある。とくに、電源トランスが下方に位置するように、電源プラグをコンセントに挿入すると、電源トランスの熱が効率よく放熱されず、プリント基板と二次電池を加熱して熱に起因する弊害を与えることがある。さらに、充電器の電源プラグを、床面に固定しているコンセントに挿入する場合であっても、ケースが床面に接近して放熱が悪くなる。
【０００４】
さらに、ケースが水平になるように電源プラグをコンセントに挿入して使用するときには、電池の漏液が、装着部に設けた開口部からケース内に侵入し、さらに、侵入した漏液をスムーズにケース外に排出することもできない。このため、電池の漏液がプリント基板や電源トランスの絶縁を悪くし、あるいはこれ等を腐食させて故障の原因となる弊害もある。
【０００５】
本発明は、このような欠点を解決することを目的に開発されたもので、本発明の重要な目的は、様々な状態で使用されても、効率よく放熱でき、さらに、万一ケース内に電池から漏液しても、これをスムーズに排出することが可能な充電器を提供することにある。
【０００６】
【課題を解決するための手段】
本発明の充電器は、前述の目的を達成するために以下の構成を備える。充電器は、二次電池を脱着自在に装着する装着部１を上面に有し、平面状の底面を有するケース２と、このケース２に内蔵されている電源トランス３と、電源トランス３の二次側出力を、二次電池の充電電圧に変換する充電回路を実現する電子部品を固定していると共にケース２に内蔵されているプリント基板４とを備える。
【０００７】
さらに、本発明の充電器は、電源トランス(3)が一端側に、プリント基板(4)が、その反対側である他端に内蔵させている。ケース２は、プリント基板４を内蔵している部分の上面に装着部１を設けている。さらに、電源トランス３を内蔵しているケースの一端側の端部の底面底部には、凸部５を設け、この凸部５に、電源コードを接続する入力コネクタ６を内蔵させている。
【０００８】
本発明の請求項２の充電器は、ケース２を、上下に分割して成形された、プラスチック製の上ケース２Ａと下ケース２Ｂで構成している。上ケース２Ａの上面には、装着部１を設けており、下ケース２Ｂの一端側の端部の底面には、入力コネクタ６を内蔵させる凸部５を設けている。
【０００９】
【発明の実施の形態】
以下、本発明の実施の形態を図面に基づいて説明する。ただし、以下に示す実施の形態は、本発明の技術思想を具体化するための充電器を例示するものであって、本発明は充電器を下記のものに特定しない。
【００１０】
さらに、この明細書は、特許請求の範囲を理解し易いように、実施の形態に示される部材に対応する番号を、「特許請求の範囲の欄」、および「課題を解決するための手段の欄」に示される部材に付記している。ただ、特許請求の範囲に示される部材を、実施の形態の部材に特定するものでは決してない。
【００１１】
図１の断面図と、図２の側面図と、図３の平面図と、図４の正面図に示す充電器は、ケース２に、プリント基板４と電源トランス３とを内蔵している。電源トランス３とプリント基板４は、互いにケース２の反対側に内蔵されている。図１に示すケース２は、右側に電源トランス３を、左側にプリント基板４を内蔵している。
【００１２】
ケース２は、電源トランス３とプリント基板４を内蔵して、簡単に組立できるように、プラスチック製の上ケース２Ａと下ケース２Ｂとに分離して成形している。上ケース２Ａは、電池を装着する装着部１を片側の上面に成形している。上ケース２Ａは、装着部１の反対側を、電源トランス３を内蔵するために高く突出する形状に成形している。図に示すケースは、右部を高く成形して電源トランス３を内蔵している。上ケース２Ａの高く成形する部分は、電源トランス３とプリント基板４とを同一底面の下ケース２Ｂに載置した状態で、プリント基板４よりも高い電源トランス３を内蔵できる高さに成形される。
【００１３】
下ケース２Ｂは、底面のほぼ全体を平面状に成形して、電源トランス３を載置している右側端部に、下面に突出するように凸部５を設けている。凸部５によって、ケース２は、入力コネクタ６を内蔵するための収納スペース７を設けている。いいかえると、凸部５は、内部の収納スペース７に、入力コネクタ６を内蔵できる大きさに成形されている。入力コネクタ６は、凸部５の収納スペース７に内蔵されて、電源トランス３の下方に配設される。収納スペース７に入力コネクタ６を内蔵できる下ケース２Ｂは、電源トランス３を、下ケース２Ｂの底面から高く離すことなく、下ケース２Ｂの底面に接近するように配設しつつ、その下方に入力コネクタ６を配設することができる。
【００１４】
下ケース２Ｂは、入力コネクタ６を外部に表出させる開口窓８を設けている。入力コネクタ６は、開口窓８に嵌着されて、下ケース２Ｂの定位置に配設される。入力コネクタ６は、リード線（図示せず）を介して電源トランス３の一次側に連結されている。リード線は、入力コネクタを電源トランスに機械的に連結することもできる。また、入力コネクタを、開口窓でなくケースの収納スペースに嵌着して、定位置に配設することもできる。さらに、入力コネクタは、収納スペースに接着して、下ケースの定位置に固定することもできる。
【００１５】
下ケース２Ｂに設けた凸部５は、入力コネクタ６を内蔵する収納スペース７を設けることに加えて、ケース２を平面台に置く状態で、ケース２の底面を平面台から離して、底面を放熱面とすることができる。さらに、ケース２を平面台に置く状態で、ケース２を傾斜させて、ケース２内に侵入する水や電池の漏液を電源トランス３側に流入させることなく、スムーズに排出することもできる。ケース２の底面を放熱面とし、さらに、流入する水や漏液を電源トランス３の反対側に流すためには、凸部５を高くするのがよい。ただ、凸部５を高くすると、ケース２の外形が大きくなる欠点がある。したがって、凸部５が底面から突出する高さは、３〜３０ｍｍ、好ましくは５〜２０ｍｍ、さらに好ましくは５〜１５ｍｍとする。下ケース２Ｂは、凸部５の反対側の底面に、侵入する水や電池の漏液を排出するために、底孔１１を開口している。
【００１６】
入力コネクタ６が、凸部５の収納スペース７に内蔵される充電器は、下ケース２Ｂのみを交換して、図５〜図９に示すように、電源プラグを有する充電器とすることができる。これ等の図に示す充電器は、下ケース２Ｂに電源プラグ１３を固定している。この充電器は、下ケース２Ｂを成形するときに電源プラグ１３をインサートして固定し、あるいは、成形された下ケース２Ｂに接着して電源プラグ１３を固定し、あるいはまた、電源トランス３を介して電源プラグ１３を定位置に固定する。電源プラグ１３は、リード線（図示せず）を介して電源トランス３の一次側に接続されている。以上のように、下ケース２Ｂのみを交換して、電源プラグ１３を備える充電器と、入力コネクタ６を備える充電器とを製造できる構造は、両方のタイプの充電器を少ない設計変更で安価に多量生産できる特長がある。
【００１７】
ケース２に設けた電池の装着部１は、上方を開口した溝形に成形して、両側の側壁１５の中央部を低くして、電池を外しやすい形状としている。図に示すケース２は、装着部１に２本の円筒電池を並べて装着できるように、装着部１の中央に縦に隔壁１６を設けている。
【００１８】
装着部１の両端には、充電接点を外部に表出させる開口部１４を設けている。開口部１４に配設される充電接点は、装着部１にセットされた電池に電気接続されて、電池を充電する。充電接点は、プリント基板４に半田付して固定されて、充電回路に接続されている。
【００１９】
プリント基板４は、図１の断面図に示すように、上ケース２Ａと下ケース２Ｂに挟着されて、ケース２の定位置に配設される。プリント基板４を挟着するために、下ケース２Ｂは、内面から上方に突出して、プリント基板４を載せる隔壁リブ９を一体成形している。上ケース２Ａは、プリント基板４の上面を押圧する区画リブ１０を一体成形している。図１に示す充電器は、下ケース２Ｂの隔壁リブ９と、上ケース２Ａの区画リブ１０でプリント基板４を挟着して定位置に固定している。区画リブ１０は、プリント基板４の端縁に沿って設けられ、図１において左側の充電接点である−側端子の開口部１４から流入する液体や漏液が、プリント基板４の表面に拡散するのを阻止する。
【００２０】
−側の充電接点の開口部１４から侵入した液体は、下ケース２Ｂの底面に設けられた底孔１１から外部に流出される。下ケース２Ｂに一体成形している隔壁リブ９は、下ケース２Ｂとの間に排液路１２を設け、排液路１２に底孔１１を開口している。隔壁リブ９は、プリント基板４の下面に接触されて、排液路１２の液体が、プリント基板４の下面に拡散するのを防止する。
【００２１】
プリント基板４の上面には、＋−の充電接点を固定している。図１に示す右側の充電接点は＋側であり、全体の形状をＬ字状として、下端をプリント基板４に固定している。−側の充電接点は、図１に示すように、全体をＬ字状とし、上端を折り返して、電池を弾性的に押圧できるようにしている。
【００２２】
この構造の下ケース２Ｂは、下ケース２Ｂの決められた位置に、入力コネクタ６と電源トランス３とプリント基板４を配設し、下ケース２Ｂに上ケース２Ａを連結して、組立られる。
【００２３】
【発明の効果】
本発明の充電器は、種々の状態で使用されても、常に全周から効率よく放熱できる。このため、プリント基板に装着した半導体等の電子部品や、さらに充電している二次電池の熱による弊害を少なくできる特長がある。とくに、全ての使用者が、熱に起因する悪影響を心配することなく、安心して二次電池を充電できる特長がある。それは、本発明の充電器が、電源トランスとプリント基板を、互いにケースの反対側に内蔵すると共に、ケースのプリント基板内蔵部分の上方に二次電池の装着部を設け、さらに、電源トランスを内蔵している端部には、底部から突出して凸部を設け、この凸部によって、ケースの底面が壁面等に密着するのを阻止しているからである。
【００２４】
さらに、本発明の充電器は、ケースの底面を壁面等から離すために設けている凸部にできる内部の収納スペースに入力コネクタを内蔵させている。このため、ケースを壁面から離すために設けた凸部によってできる収納スペースを有効に利用して、入力コネクタを内蔵しているので、入力コネクタを内蔵させるために特別にスペースを設ける必要がなく、ケース内のスペースを極めて効率よく利用して、全体をコンパクトにできる特長もある。さらに、電源トランスを内蔵させている下方に凸部を設けて、ここに入力コネクタを内蔵させるので、入力コネクタが電源トランスに接近して、短いリード線で簡単に接続できる特長もある。
【００２５】
さらにまた、電源トランスの下方に凸部を設けて、ここに入力コネクタを内蔵する本発明の充電器は、下ケースを交換して、電源プラグを固定するタイプの充電器に設計変更できる。このため、プリント基板や上ケース、電源プラグ等の他のパーツを変更することなく、下ケースのみを変更して、電源プラグを内蔵するタイプと、入力コネクタを内蔵するタイプの２タイプの充電器を構成できる。この構造の充電器は、多くのパーツを共通して使用できるので、生産効率を向上し、低コスト化を図れる。
【図面の簡単な説明】
【図１】本発明の一実施例に係る充電器を示す縦断面図
【図２】図１に示す充電器の側面図
【図３】図１に示す充電器の平面図
【図４】図１に示す充電器の正面図
【図５】図１の充電器を設計変更してケースに電源プラグを固定している充電器の断面図
【図６】図５に示す充電器の側面図
【図７】図５に示す充電器の平面図
【図８】図５に示す充電器の正面図
【図９】図５に示す充電器の底面図
【符号の説明】
１…装着部
２…ケース                                          ２Ａ…上ケース
２Ｂ…下ケース
３…電源トランス
４…プリント基板
５…凸部
６…入力コネクタ
７…収納スペース
８…開口窓
９…隔壁リブ
１０…区画リブ
１１…底孔
１２…排液路
１３…電源プラグ
１４…開口部
１５…側壁
１６…隔壁
【図１】
0003639435.tif 000002
【図２】
0003639435.tif 000003
【図３】
0003639435.tif 000004
【図４】
0003639435.tif 000005
【図５】
0003639435.tif 000006
【図６】
0003639435.tif 000007
【図７】
0003639435.tif 000008
【図８】
0003639435.tif 000009
【図９】
0003639435.tif 000010